(57)【特許請求の範囲】
【請求項１】
鴨居の案内溝内に配置され、上端部が前記案内溝に沿って移動し、かつ、上端角部に、引戸の進行方向に対して傾斜する傾斜面が形成されている引戸を、前記案内溝の所定の位置で停止させる引戸用ストッパであって、
前記案内溝の所定の位置に固定されて、前記引戸が当接する先端部に、前記引戸の傾斜面と当接する傾斜当接面が形成されていることを特徴とする引戸用ストッパ。
【発明の詳細な説明】
【０００１】
【発明の属する技術分野】
本発明は、鴨居の案内溝に取付けられた引戸用ストッパに係わり、特に引戸が該引戸用ストッパに当接した際に、引戸の転倒防止を図ることができる引戸用ストッパに関する。
【０００２】
【背景の技術】
部屋の出入口に、上端部が鴨居の案内溝１０３に沿って移動する引戸１０１（図５（ａ）参照）を取付ける場合、戸決りを設けた縦枠を壁面に取付けずに、前記案内溝１０３内に矩形状の部材で形成された引戸用ストッパ１００を取付けることで、引戸１０１の進行を所定の位置で阻止することがある。
【０００３】
【発明が解決しようとする課題】
しかしながら、図５（ｂ）に示すように、前記引戸１０１を前記引戸用ストッパ１００の方向に移動させると、前記引戸１０１の上端部１０１ａが該引戸用ストッパ１００に当接し、前記引戸ストッパ１００を支点として、前記引戸１０１を反時計回りに回転させるような慣性力が発生し、図中の二点鎖線で示す矢印方向に前記引戸１０１が転倒する場合があった。
【０００４】
本発明は上記事情に鑑みてなされたもので、引戸が引戸用ストッパに当接した際に、該引戸の転倒を防止することができる引戸用ストッパを提供することを目的としている。
【０００５】
なお、上記の課題を解決する技術を、日本特許情報機構（ＪＡＰＩＯ）の先行技術調査（パトリス）の利用により、以下の検索式で昭和５５年以降の特許出願、実用新案登録出願を調査した。
検索式：Ｅ０５Ｆ０５/００Ｄその結果、特許６件、実用新案登録出願８件を抽出した。しかし、上記課題を解決するための技術は、発見できなかった。
【０００６】
【課題を解決するための手段】
以上の課題を解決するため、請求項１記載の発明は、例えば図１〜図４に示すように、鴨居１の案内溝１ａ内に配置され、上端部２０ｃが前記案内溝１ａに沿って移動し、かつ、上端角部２０ｂに、引戸２０の進行方向に対して傾斜する傾斜面２０ａが形成されている引戸２０を、前記案内溝１ａの所定の位置で停止させる引戸用ストッパ５０であって、前記案内溝１ａの所定の位置に固定されて、前記引戸２０が当接する先端部５０ｂに、前記引戸２０の傾斜面２０ａと当接する傾斜当接面５０ａが形成されていることを特徴とする。
【０００７】
請求項１記載の発明によれば、引戸２０を引戸用ストッパ５０に向けて移動させると、図３に示すように、引戸２０の傾斜面２０ａが、前記傾斜当接面５０ａに当接し、前記傾斜当接面５０ａから垂直抗力Ｆが引戸２０に作用する。前記垂直抗力Ｆは、引戸２０の進行方向と反対向き水平力ｆｈと、下向きの鉛直力ｆｖとに分解されるので、前記傾斜当接面５０ａを支点として、引戸２０を反時計回りに回転させるような慣性力が発生しても、前記垂直抗力Ｆの分力である鉛直力ｆｖが引戸２０の回転を制限し、引戸２０の転倒を防止することができる。
けられた引戸用ストッパ５は目立つことがない。よって、鴨居１の外観を良好にできる。
【０００８】
【発明の実施の形態】
以下、図１〜図４を参照して本発明の実施の形態を詳細に説明する。
引戸用ストッパ５０は、図１〜図４に示すように、鴨居１の案内溝１ａ内に配置され、上端部２０ｃが前記案内溝１ａに沿って移動し、かつ、上端角部２０ｂに、引戸２０の進行方向に対して傾斜する傾斜面２０ａが形成されている引戸２０を、前記案内溝１ａの所定の位置で停止させる木材等で形成された角材であって、前記引戸２０の傾斜面２０ａと当接する傾斜当接面５０ａが形成されている。また、鴨居１の案内溝１ａに固定された位置で、前記傾斜当接面５０ａが引戸２０の傾斜面２０ａと当接するように、前記引戸用ストッパ５０は、釘等の止着材によって、固定されている。
【０００９】
前記傾斜当接面５０ａは、前記引戸用ストッパ５０の下端面５３ａから前記案内溝１ａの底面に向かって傾斜する傾斜面であって、前記引戸２０が当接する先端部を切削加工することで形成されている。また、前記傾斜当接面５０ａの下端の厚さ５３ｃは、前記案内溝１ａの深さ１ｄより小さく形成されている。ここで、前記傾斜当接面５０ａの傾斜角度θは４５°以下とする。
【００１０】
次に、引戸用ストッパ５０の作用について説明する。引戸２０を引戸用ストッパ５０に向けて移動させると、引戸２０の傾斜面２０ａが、前記傾斜当接面５０ａに当接し、前記傾斜当接面５０ａから垂直抗力Ｆが引戸２０の斜め下方向に作用する。前記垂直抗力Ｆは、引戸２０の進行方向と反対向き水平力ｆｈと、鉛直下向きの鉛直力ｆｖとに分解され、前記鉛直力ｆｖによって、前記傾斜当接面５０ａを支点として、引戸２０を反時計回りに回転させるような慣性力と対抗する。その結果、引戸２０は、案内溝１ｃ内から脱離することなく、案内溝１ａの引戸用ストッパ５０が固定された位置で停止する。
【００１１】
ここで、前記傾斜当接面５０ａの傾斜角度θを４５°以下としたのでは、４５°を超えると引戸２０が傾斜当接面５０ａに当接した際に、引戸２０が前記傾斜当接面５０ａに沿って、前記引戸用ストッパ５０を乗越える可能性があるからである。
【００１２】
以上により、本実施の形態によれば、引戸２０を引戸用ストッパ５０に向けて移動させると、引戸２０の傾斜面２０ａが、前記傾斜当接面５０ａに当接し、前記傾斜当接面５０ａから垂直抗力Ｆが引戸２０に作用する。前記垂直抗力Ｆは、引戸２０の進行方向と反対向き水平力ｆｈと、鉛直下向きの鉛直力ｆｖとに分解されるので、前記傾斜当接面５０ａを支点として、引戸２０を反時計回りに回転させるような慣性力が発生しても、前記垂直抗力Ｆの分力である鉛直力ｆｖが前記慣性力と対抗し、引戸２０の転倒を防止することができる。
【００１３】
【発明の効果】
請求項１記載の発明によれば、引戸用ストッパは、先端部に引戸の傾斜面と当接する傾斜当接面が形成されているので、引戸を引戸用ストッパに向けて移動させると、引戸の傾斜面が、前記傾斜当接面に当接し、前記傾斜当接面から垂直抗力が引戸に作用する。前記垂直抗力は、引戸の進行方向と反対向き水平力と、下向きの鉛直力とに分解されるので、引戸を反時計回りに回転させるような慣性力が発生しても、前記鉛直力が引戸の回転を制限し、引戸の転倒を防止することができる。
【図面の簡単な説明】
【図１】本発明の実施の形態の一例を示すもので、引戸用ストッパを取付けた鴨居を有する和室の斜視図である。
【図２】同、引戸用ストッパを取付けた鴨居を有する壁面の断面図である。
【図３】同、引戸用ストッパに引戸が近接した状態を示す側面図である。
【図４】同、引戸用ストッパの斜視図である。
【図５】従来の引戸ストッパを取付けた一例を示す平面図である。
【符号の説明】
１ 鴨居
１ａ 案内溝
２０  引戸
２０ａ 傾斜面
２０ｂ 上端角部
５０  引戸用ストッパ
５０ａ 傾斜当接面
５０ｂ 先端部
【図１】
0004689884.tif 000002
【図２】
0004689884.tif 000003
【図３】
0004689884.tif 000004
【図４】
0004689884.tif 000005
【図５】
0004689884.tif 000006